(57)【要約】【課題】  使用後の保管に際して従来に比して無駄な空間を少なくすることができ、保管費用の低減化を図ることができるグローブボックス用手袋の提供を課題とする。【解決手段】  グローブボックスの壁面に配設されているグローブポート７１に装着される手袋１０は、手袋本体２０と基端部材３０とによって構成されており、手袋本体２０の基端部はＯリング４０によって基端部材３０の手袋取付部３０ａに装着されている。基端部材３０は、略円筒形状のインナーリング３１と、インナーリング３１の外側壁を覆うゴム製の外装部材３２と、インナーリング３１の内側に嵌合する固定補強リング３３とによって構成されている。インナーリング３１は、その円周方向に沿って複数個に分割されたインナーリング片によって組み立てられている。【選択図】  図１
0003163435.tif 000002
【実用新案登録請求の範囲】
【請求項１】
グローブボックスの壁面に配設された内側の空間の形状が円柱形状のグローブポートの内壁面に密着した状態で挿入可能な略円筒形状の基端部材と、作業員の手を保護する作業用の手袋本体とから構成され、前記基端部材の両端の開口部のうち一端の開口部側に配設されている他の部分に比してその外径が小さい手袋取付部が前記手袋本体の基端部の開口部の内側に挿入された状態で当該手袋取付部の周囲に前記手袋本体の基端部が全周に亘って密着して装着されているグローブボックス用手袋において、
前記基端部材は、略円筒形状であって両端の開口部のうち一端の開口部側には他の部分に比してその外径が小さい手袋取付部が形成されているインナーリングと、該インナーリングの外側壁を全面に亘って覆うゴム製の外装部材と、前記インナーリングの手袋取付部とは反対側の開口部の内側に嵌合可能な円筒形状の固定補強リングであって両端の開口部のうち一端の開口部の周囲には外側に向かって延在する縁部が形成されている固定補強リングとによって構成され、
前記略円筒形状のインナーリングは、その円周方向に沿って複数個に分割されたインナーリング片により組み立てられていることを特徴とするグローブボックス用手袋。
【請求項２】
前記インナーリング片は全て同じ形状に形成されていることを特徴とする請求項１に記載のグローブボックス用手袋。
【請求項３】
前記インナーリング片を用いて前記インナーリングを組み立てた際、相隣接する２つのインナーリング片の接触面には、互いに嵌合可能な凹凸部がそれぞれのインナーリング片の前記接触面に形成されていることを特徴とする請求項１または２に記載のグローブボックス用手袋。
【考案の詳細な説明】
【技術分野】
【０００１】
本考案は、原子力施設で放射性物質等を取扱う際に用いられるグローブボックスで使用するグローブボックス用手袋に関するものである。
【背景技術】
【０００２】
原子力施設で放射性物質を取扱う場合、その操作はグローブボックスを使用することが極めて多い。このようなグローブボックスで使用される従来のグローブボックス用手袋の構成を図７に示す。
【０００３】
図７において、７０はグローブボックスの壁面を構成する壁材であり、グローブボックスの内部を壁材７０の外部から視認することが出来るように透明な素材によって構成されている。グローブボックスの壁材７０の壁面には、グローブボックス用手袋８０を装着するためのグローブポート７１が配設されている。このグローブポート７１は、内側の空間の形状が円柱形状となるように形成されており、その内壁面にはライニング加工が施されている。グローブポート７１は円盤状の取付部材７２と取付ネジ７３とによってグローブボックスの壁面に固定されている。
【０００４】
グローブボックス用手袋８０は、作業員の手を保護する手袋本体８１と、基端部材８２と、この基端部材８２をグローブポート７１に固定するための固定環８３とによって構成されている。
【０００５】
基端部材８２は略円筒形状の部材であり、その外周壁にはグローブポート７１の内壁面に密着するシール材８４が配設されている。また、基端部材８２の両端の開口部のうち一端の開口部側には、他の部分に比してその外径が小さい手袋取付部８２ａが形成されている。この手袋取付部８２ａが手袋本体８１の基端部の開口部の内側に挿入された状態で、手袋本体８１の基端部はＯリング８５によって手袋取付部８２ａの外側に全周に亘って密着するように装着されている。
【０００６】
以上のように構成されたグローブボックス用手袋８０を用いて、作業員はグローブボックス内の放射性物質の処理等の作業を行う。
【０００７】
このようなグローブボックス用手袋８０を交換する場合には、図８（ａ）〜（ｃ）に示すような以下の手順で交換を行う。
【０００８】
先ず、固定環８３を外し、新たなグローブボックス用手袋９０の基端部材９２の先端部（手袋本体側）を、基端部材８２の後端部に当接させた状態で、専用の押圧治具を用いて新たなグローブボックス用手袋９０をグローブポート７１内に押し込む。この新たなグローブボックス用手袋９０が固定位置（図８（ｃ）に示した位置）まで押し込まれると、今まで使用していたグローブボックス用手袋８０はグローブボックス内に落下する。その後、押圧治具を外して、新たなグローブボックス用手袋９０の基端部材９２を固定環８３によってグローブポート７１に固定して交換作業を終了する。
【０００９】
グローブボックス内に落下した使用済のグローブボックス用手袋８０は、後日回収されて廃棄処分される。
【考案の概要】
【考案が解決しようとする課題】
【００１０】
以上説明した従来のグローブボックス用手袋においては、その手袋で放射性物質を扱った場合には使用後に回収され、まとめられて安全が保たれる状態にして指定場所に保管されている。
【００１１】
しかしながら、従来のグローブボックス用手袋においては、基端部材８２が略円筒形状で内部に略円柱状の空間が形成されていて嵩張るために、まとめて保管する場合には、無駄な空間が多くなり、その分保管費用が嵩んでしまうという問題点があった。
【課題を解決するための手段】
【００１２】
以上の問題を解消するために本考案は、グローブボックスの壁面に配設された内側の空間の形状が円柱形状のグローブポートの内壁面に密着した状態で挿入可能な略円筒形状の基端部材と、作業員の手を保護する作業用の手袋本体とから構成され、前記基端部材の両端の開口部のうち一端の開口部側に配設されている他の部分に比してその外径が小さい手袋取付部が前記手袋本体の基端部の開口部の内側に挿入された状態で当該手袋取付部の周囲に前記手袋本体の基端部が全周に亘って密着して装着されているグローブボックス用の手袋において、前記基端部材は、略円筒形状であって両端の開口部のうち一端の開口部側には他の部分に比してその外径が小さい手袋取付部が形成されているインナーリングと、該インナーリングの外側壁を全面に亘って覆うゴム製の外装部材と、前記インナーリングの手袋取付部とは反対側の開口部の内側に嵌合可能な円筒形状の固定補強リングであって両端の開口部のうち一端の開口部の周囲には外側に向かって延在する縁部が形成されている固定補強リングとによって構成され、前記略円筒形状のインナーリングは、その円周方向に沿って複数個に分割されたインナーリング片により組み立てられていることを特徴とするものである。
【００１３】
ここで、前記インナーリング片は全て同じ形状に形成されていてもよい。
【００１４】
さらに、前記インナーリング片を用いて前記インナーリングを組み立てた際、相隣接する２つのインナーリング片の接触面には、互いに嵌合可能な凹凸部がそれぞれのインナーリング片の前記接触面に形成されていてもよい。
【考案の効果】
【００１５】
本考案によれば、使用後の保管に際して従来に比して無駄な空間を少なくすることができ、保管費用の低減化を図ることができる。
【図面の簡単な説明】
【００１６】
【図１】本考案の実施例１の構成を示す構成図である。
【図２】図１に示した実施例１の斜視図である。
【図３】図１に示した実施例１の分解斜視図である。
【図４】本考案の実施例１に係るインナーリングの構成の説明図である。
【図５】本考案の実施例１に係るインナーリングの構成の説明図である。
【図６】本考案の実施例１の使用方法の説明図である。
【図７】従来のグローブボックス用の手袋の構成図である。
【図８】従来のグローブボックス用の手袋の使用方法の説明図である。
【考案を実施するための形態】
【００１７】
以下、図面を用いて本考案の実施例について説明する。
【実施例１】
【００１８】
図１は、グローブボックスのグローブポート７１に装着されている状態での本考案の実施例１に係るグローブボックス用手袋１０の構成を示した構成図であり、図２はその斜視図である。また、図３は、本実施例１に係る手袋１０の分解斜視図である。
【００１９】
ここで、図１において、グローブボックスの壁材７０、グローブポート７１、取付部材７２、ネジ７３は、先に説明したものと同様の構成であるのでその説明は省略する。
【００２０】
本実施例１においても、手袋本体２０の基端部の開口部の内側に、基端部材３０の他の部分に比してその外径が小さくなるように形成されている手袋取付部３０ａが挿入された状態で、手袋本体２０の基端部がＯリング４０によって手袋取付部３０ａの外側に全周に亘って密着するように装着されている構成は、先に説明した従来例と同様の構成となっている。
【００２１】
ここで、本実施例１においては、基端部材３０は、図１および図３に示したように３つの部材、すなわち、インナーリング３１、外装部材３２、固定補強リング３３によって構成されている。
【００２２】
インナーリング３１は、略円筒形状の部材であって、両端の開口部のうち一端の開口部側には他の部分に比してその外径が小さい手袋取付部３１ａが形成されている。
【００２３】
外装部材３２は、弾性体であるゴム製の部材であり、インナーリング３１の外側壁を全面に亘って覆うように構成されている部材である。図１に示したように、本実施例１をグローブポート７１に装着した状態においては、この外装部材３２がグローブポート７１の内壁面に密着する。
【００２４】
固定補強リング３３は、インナーリング３１の手袋取付部３１ａとは反対側の開口部の内側に嵌合可能な円筒形状の部材であり、その一方の開口部の周囲には外側に向かって延在する縁部３３ａが形成されている。図１に示したように、本実施例１をグローブポート７１に装着した状態においては、この固定補強リング３３の縁部３３ａがグローブポート７１の端部に当接して、本実施例１のグローブポート７１内での移動を規制する。
【００２５】
図４（ａ）はインナーリング３１を示したものであり、図４（ｂ）は図４（ａ）のｂ−ｂ部分をＸ方向から視た図を示している。図４（ａ），（ｂ）に示したように、略円筒形状のインナーリング３１は、その円周方向に沿って複数個に分割されたインナーリング片３１１により組み立てられている。また、このようなインナーリング片３１１を用いてインナーリング３１を組み立てた際に相隣接することになる２つのインナーリング片の接触面には、互いに嵌合可能となるような凸部３１１ａと凹部３１１ｂとがそれぞれのインナーリング片の接触面に形成されている。
【００２６】
本実施例１においては、図５（ａ）に示したように６個のインナーリング片３１１〜３１６によって、図５（ｂ）に示したようにインナーリング３１が構成されている。それぞれのインナーリング片３１１〜３１６には、凸部３１１ａ〜３１６ａと凹部３１１ｂ〜３１６ｂとが形成されている。ここで、インナーリング片３１１〜３１６が、全く同じ部材となるように構成されていれば、インナーリング３１を組み立てる際、無作為に６個のインナーリング片を選んで容易に１個のインナーリング３１を組み立てることができる。
【００２７】
このようにして組み立てられたインナーリング３１の外側壁を、図１および図３に示したゴム製の外装部材３２で全面に亘って覆えば、インナーリング３１の外側壁から中心部に向って均等な圧力が作用することになるので、この外装部材３２が装着されたインナーリング３１は外部から特別な破壊力を加えない限りその形状を保持することができる。さらに、図１に示したように、インナーリング３１の内側に固定補強リング３３を嵌合させれば、この組み立てられたインナーリング３１の強度は、一体的に形成されたインナーリングと略同等の強度となる。
【００２８】
以上説明した各部材を組み合せて本実施例１を組み立てる場合には、先ずインナーリング３１をインナーリング片３１１〜３１６を用いて組み立て、次に図３に示したように、インナーリング３１に外装部材３２を装着して、さらに手袋本体２０をＯリング４０を用いて装着し、最後に固定補強リング３３を装着して組み立てを完了する。
【００２９】
また、本実施例１の交換作業は、図６（ａ）〜（ｃ）に示したように、先ずグローブポート７１に装着されている古い手袋１０から固定補強リング３３を外し、次に従来と同じように、新しい手袋１０´を専用の押圧治具を用いてグローブポート７１内に押し込んで古い手袋１０をグローブボックス内に落下させる。最後に、先に外しておいた固定補強リング３３を新しい手袋１０´に装着して交換作業を終了する。
【００３０】
グローブボックス内に落下した使用済の古い手袋１０には固定補強リング３３が装着されていないので、この古い手袋１０のインナーリング３１は一定以上の力を外部から加えればインナーリング片３１１〜３１６に分解されてしまう。従って、使用済の本実施例１を保管するに際しては、その専有空間を従来例に比して著しく縮小することができて、保管費用の低減化を図ることができる。
【符号の説明】
【００３１】
１０，１０´，８０，９０  グローブボックス用手袋
２０，８１  手袋本体
３０，８２，９２  基端部材
３０ａ，３２ａ，８２ａ  手袋取付部
３１  インナーリング
３２  外装部材
３３  固定補強リング
３３ａ  縁部
４０，８５  Ｏリング
７０  グローブボックスの壁材
７１  グローブポート
３１１〜３１６  インナーリング片
３１１ａ〜３１６ａ  凸部
３１１ｂ〜３１６ｂ  凹部
Ｘ    方向
【図１】
0003163435.tif 000003
【図２】
0003163435.tif 000004
【図３】
0003163435.tif 000005
【図４】
0003163435.tif 000006
【図５】
0003163435.tif 000007
【図６】
0003163435.tif 000008
【図７】
0003163435.tif 000009
【図８】
0003163435.tif 000010